(57)【要約】【課題】手早く簡単に折り畳め嵩張らずに収容できるベビースリングを提供すること。【解決手段】  布の長手方向に沿って左右対象に複数のピンタック１２１を入れ、右側は右側で左側は左側でそれぞれのピンタック１２１により形成される折り目を合わせた状態にて少なくとも片端を短手方向に縫合し、収納時の折グセが形成されるようにしたことを特徴とするベビースリング１００である。折り目の束が揃った状態で蛇腹状で位置決めされるので、使用時には赤子を包みやすい袋部分が形成されるとともに、長手方向に引っ張れば自然に折り畳まれ、収納時の取り扱い性が向上する。【選択図】図１
0003156669.tif 000002
【実用新案登録請求の範囲】
【請求項１】
布の長手方向に沿って複数のピンタックを入れ収納時の折り目を形成するようにしたことを特徴とするベビースリング。
【請求項２】
布の長手方向に沿って左右対象に複数のピンタックを入れ、右側は右側で左側は左側でそれぞれのピンタックにより形成される折り目を合わせた状態にて少なくとも片端を短手方向に縫合し、収納時の折グセが形成されるようにしたことを特徴とするベビースリング。
【請求項３】
ピンタックによる左右の折り目の束を向かい合うようにして短手方向を縫合した形態であることを特徴とする請求項２に記載のベビースリング。
【請求項４】
長手方向の片端を短手方向に縫合し、他端には当該片端を挿通して固定するための二つのリングを取り付けたことを特徴とする請求項２または３に記載のベビースリング。
【請求項５】
収納時に全体を折り畳んでくくるためのゴム紐の輪をリング近傍に取り付けたことを特徴とする請求項４に記載のベビースリング。
【考案の詳細な説明】
【技術分野】
【０００１】
本考案は、手早く簡単に折り畳んで嵩張らずにバッグ等に収容できるベビースリングに関する。
【背景技術】
【０００２】
近年、母親が赤子を対面して抱えるだっこ紐として、ベビースリングが使用されている。ベビースリングは、一枚布を基調として両端を絞り込み、間にできる袋部分で赤子を包み保持するものであり、赤子とともに外出する際に多用される。
【０００３】
これは、抱いたり降ろしたりする作業が、おんぶ紐や他のだっこ紐に比べて非常に簡単であり、周囲に気づかずに抱いたままの授乳もしやすいからである。また、胸の前で紐が交差して見栄えが良くなかったりするようなことがなく、おんぶ紐の背もたれパッドのように嵩張ったりしないという利点を有する。
【０００４】
しかしながら、従来の技術では以下の問題点があった。
ベビースリングは、外出先で赤子を遊ばせたり、布団の上などに寝かしつけたりするときなどの不使用時にはバッグなどに収納する。このとき、リング側から反対側（テール側）へ絞ってから丸めたり、内側に折り畳んだりして小さくしていくが、一枚布を基調としているため絞り込んでもひだが盛りあがり、思いの外コンパクトにならないという問題点があった。
【０００５】
また、購入時には折グセがついているものもあるが、何回か使用した後や、一度でも洗濯した後では、折グセがなくなり、同様に不定形のひだによりコンパクト化できない（復元しようとする）という問題点があった。
【０００６】
特に、赤子と外出するときは、よだれかけ、ガーゼ、替えオムツ、着替え、ほ乳瓶など、様々な物を携行する必要があり、コンパクト化、収納しやすさ、取り出しやすさ、といった取り扱い性は極めて重要な事項である。
【先行技術文献】
【特許文献】
【０００７】
【特許文献１】特開２００６−１１６２６１
【特許文献２】実用新案登録第３１２２３３９号
【考案の概要】
【考案が解決しようとする課題】
【０００８】
本考案は上記に鑑みてなされたものであって、手早く簡単に折り畳め嵩張らずに収容できるベビースリングを提供することを目的とする。
【課題を解決するための手段】
【０００９】
請求項１に記載のベビースリングは、布の長手方向に沿って複数のピンタックを入れ収納時の折り目を形成するようにしたことを特徴とする。
【００１０】
すなわち、請求項１にかかる考案は、ピンタックにより定常的な折グセが形成され、簡便な収納が可能となる。なお、ここでいうピンタックとは、布をつまみ上げ高さが１ｍｍ程度の輪（長さは５０ｃｍ程度以上）ができるように縫い合わせたものをいう。収納時とは、ベビースリング自体をバッグ等へ収納する際、という意義であり、赤子を包み抱えるとき、という意義ではない。布の長手方向とは、ベビースリングは一枚布を基調とし、赤子の体に沿った方向に布が必然的に長くなるので、この方向を意図したものである。
【００１１】
請求項２に記載のベビースリングは、布の長手方向に沿って左右対象に複数のピンタックを入れ、右側は右側で左側は左側でそれぞれのピンタックにより形成される折り目を合わせた状態にて少なくとも片端を短手方向に縫合し、収納時の折グセが形成されるようにしたことを特徴とする。
【００１２】
すなわち、請求項２にかかる考案は、折り目の束が揃った状態で蛇腹状で位置決めされるので、使用時には赤子を包みやすい袋部分が形成されるとともに、長手方向に引っ張れば自然に折り畳まれ、収納時の取り扱い性が向上する。なお、片端とは、必ずしも端部でなく、赤子を包む位置から外れた位置をいう。従って、ここでいう片端とは片側という意義を含み、端からある程度内側に入った位置も含むものとする。
【００１３】
請求項３に記載のベビースリングは、請求項２に記載のベビースリングにおいて、ピンタックによる左右の折り目の束を向かい合うようにして短手方向を縫合した形態であることを特徴とする。
【００１４】
すなわち、請求項３にかかる考案は、袋部分の包容機能が高まり、ピンタックとピンタックの間の谷折り部分の折グセが収納時に規制され広がるようなことがない。なお、向かい合うとは、必ずしも突き合った状態（当接する状態）まで近接しなくてもよいものとする。
【００１５】
請求項４に記載のベビースリングは、長手方向の片端を短手方向に縫合し、他端には当該片端を挿通して固定するための二つのリングを取り付けたことを特徴とする。
【００１６】
すなわち、請求項４にかかる考案は、両端でまとめられ外形において帯形状であるので、テールをリングに挿入しやすく作業性が向上し、また、収納時には帯を長手方向に折り畳みばらけることなく容易かつ簡便にコンパクト化できる。
【００１７】
請求項５に記載のベビースリングは、請求項４に記載のベビースリングにおいて、収納時に全体を折り畳んでくくるためのゴム紐の輪をリング近傍に取り付けたことを特徴とする。
【００１８】
すなわち、請求項５にかかる考案は、コンパクト化した際の形状を簡便に維持できる。なお、ゴム紐はむき出しでなく、適宜、布と同じ生地にて包むようにしても良い。
【考案の効果】
【００１９】
本考案によれば、手早く簡単に折り畳め嵩張らずに収容できるベビースリングを提供できる。
【図面の簡単な説明】
【００２０】
【図１】本考案にかかるベビースリングの平面図とその一部拡大図と断面図である。
【図２】本考案にかかるベビースリングのポーチ部の片側を一部展開した展開図である（展開部分についてはピンタックは省略ししている）。
【図３】本考案にかかるベビースリングを用いて赤子を包み抱えた様子を示した模式図である。
【図４】本考案にかかるベビースリングが折り畳まれた収納時の図である。
【考案を実施するための形態】
【００２１】
以下、本考案の実施の形態を図面を参照しながら詳細に説明する。図１は、本考案にかかるベビースリングの平面図とその一部拡大図と断面図である。図２は、本考案にかかるベビースリングのポーチ部の片側を一部展開した展開図である。図３は、本考案にかかるベビースリングを用いて赤子を包み抱えた様子を示した模式図である。図４は、本考案にかかるベビースリングが折り畳まれた収納時の図である。なお、図では説明の便宜上適宜縮尺を変更している。
【００２２】
ベビースリング１００は、一枚布を基調としており、リング部１０１と、ポーチ部１０２と、テール部１０３と、からなる。
【００２３】
リング部１０１は、二つのリング１１１と、パッド部１１２と、ゴム紐１１３とを有する。リング１１１は、帯状のベビースリング１００を輪にして肩掛けが可能なようにテール部１０３を挿入して固定する。また、このリング１１１により長さが変更でき、赤子の保持・固定の度合いを適宜調整可能となる。
【００２４】
パッド部１１２は、使用時に肩に当たる部分であり、後述するように、長手方向に沿って左右対象に入れられたピンタックに基づく折り重ねの束の先端部分により形成される。この先端部分はリング１１１をくぐって折り返され当該リング１１１を保持すると共に縫合され肩当てパッドの機能を果たす。なお、使用の態様によってはこの部分に別途綿を入れるなどして肩への加重分散を実現する。
【００２５】
ゴム紐１１３は、リング部１０１の裏に縫合され、図４に示したように、長手方向へ折り重ねてコンパクト化したときにくくるためのものである。これにより、バッグ等に収納した後でもばらけることなく形態を維持する。また、取り出すときにもまとまった状態で取り出せ、他の収納物を掻き出してしまうようなことがない。なお、使用の態様によっては、紐とすることもできるが、ゴム紐とすることにより、手早くまとめることができ利便性が高い。
【００２６】
ポーチ部１０２は、赤子を包み抱える部位である。ポーチ部１０２は、布の長手方向に沿って左右対象に３本のピンタック１２１を入れ、右側は右側で左側は左側でそれぞれのピンタック１２１により形成される折り目（山折り）を、ピンタック１２１が中心線で向かい合うようにして折り、ポーチ部１０２とテール部１０３との境で短手方向に縫合した形状である。これにより、ポーチ部１０２の端部がハリセンのように固定され、使用時にはポーチ部１０２を短手方向に広げて赤子を簡便に包み抱えることが可能となり、また、使用後にはリング部１０１とテール部１０３を持って延伸すれば、帯状の形態が簡便に復元される。
【００２７】
３本のピンタック１２１は同間隔であり、帯状の形態にしたとき一番下に位置する左右の端であるレール部１２２もピンタック１２１に合わせた状態で短手方向に縫合している。なお、ピンタック１２１の間隔と帯状の形態としたときの帯の幅が同じとなるようにしている。これにより、ピンタック１２１間の谷折り部分が帯の両端に位置することとなり、収納時に不要な凸凹が幅方向の中途に生じず扁平にきれいに押しつぶした形状とすることができる。
【００２８】
テール部１０３は、ピンタック１２１を揃えて中心線でまとめ短手方向に縫合した帯である。帯として束ねてあるので、リング１１１に挿通しやすくまた安定的に固定できる。
【００２９】
布地の大きさは特に限定されないが、長さ１９０ｃｍ幅８０ｃｍの生地を用いて、リング部１０１の折り返し（パッド部１１２の長さ）を３０ｃｍ、帯状の形態としたときの幅（テール部１０３の幅）を１２ｃｍ、リング１１１の直径を７ｃｍとすることができる。
【００３０】
ベビースリング１００は以上の構成であるが、本考案者が実際に試作し、使用してみたところ、ピンタック１２１に基づく折り目は常に折り目として機能し（谷折り部分も同様に谷に折れ）、また、洗濯後も折り目が維持され、リング部１０１とテール部１０３とを持って延ばすだけで手早く帯状の形態が復元し、それを長手方向に折り畳む（短手方向に折り目がつく）時には、幅方向（短手方向）に布が広がることなく、コンパクトに容易に折り畳めることを確認した。
【００３１】
なお、ベビースリングの布地の長手方向の中央に線を引くかミシン目を入れるようにすると、中央線が容易に分かるので、洗濯後のアイロンかけや折り畳むときの位置決め目安となるので好ましい。
【産業上の利用可能性】
【００３２】
本考案によれば、外出時に手軽に装着しまた不使用時には簡便にコンパクトに収納できる利便性の高いベビースリングを提供可能となる。
【符号の説明】
【００３３】
１００  ベビースリング
１０１  リング部
１０２  ポーチ部
１０３  テール部
１１１  リング
１１２  パッド部
１１３  ゴム紐
１２１  ピンタック
１２２  レール部
【図１】
0003156669.tif 000003
【図２】
0003156669.tif 000004
【図３】
0003156669.tif 000005
【図４】
0003156669.tif 000006